(57)【要約】【課題】浄水器の処理する水の量を増やすことができ、この浄水器を使用する場合には常に新鮮な浄化水を使用できるピッチャー型浄水器を提供する。【解決手段】本体ケースと、前記本体ケースの上部に着脱自在または開閉自在に取付けられた蓋体と、前記本体ケースに連通し本体ケースの側面より突出して形成された注出部と、が備えられ、前記注出部内に浄水カートリッジが装着される構成とした。【選択図】図１
0003153867.tif 000002
【実用新案登録請求の範囲】
【請求項１】
本体ケースと、前記本体ケースの上部に着脱自在または開閉自在に取付けられた蓋体と、前記本体ケースに連通し本体ケースの側面より突出して形成された注出部と、が備えられ、
前記注出部内に浄水カートリッジが装着されていることを特徴とするピッチャー型浄水器。
【請求項２】
本体ケースと、前記本体ケースの上部に着脱自在または開閉自在に取付けられた蓋体と、前記本体ケースに連通し本体ケースの側面より突出して形成された注出部と、が備えられ、
前記注出部は上方が広く下方が狭い略円錐上に形成され、前記抽出部内に浄水カートリッジが装着されていることを特徴とするピッチャー型浄水器。
【請求項３】
本体ケースと、前記本体ケースの上部に着脱自在または開閉自在に取付けられた蓋体と、前記本体ケースに連通し本体ケースの側面より突出して形成された注出部と、が備えられ、
前記注出部は略直方体に形成され、前記抽出部内に浄水カートリッジが装着されていることを特徴とするピッチャー型浄水器。
【考案の詳細な説明】
【技術分野】
【０００１】
本考案は、内部に浄化用カートリッジを備えたピッチャー型浄水器に関する。
【背景技術】
【０００２】
従来より、比較的多量の原水（１〜２リットル）を一度に浄化することができる浄水器として、ピッチャー型浄水器が知られている。このピッチャー型浄水器として特許文献1に開示されているようなピッチャー型浄水器がある。
【０００３】
このピッチャー型浄水器は、注ぎ口と取っ手を有するケーシングの内部が、原水貯留部と浄水貯留部とに一部に開口を有する隔壁を介して上下に隔成されており、前記原水貯留部の底部には円柱状の浄水カートリッジが、その全体を突出させた状態で、交換可能に配置されたものである。
【先行技術文献】
【特許文献】
【０００４】
【特許文献１】特開平１１−３１９７９９号公報
【考案の概要】
【考案が解決しようとする課題】
【０００５】
しかしながら、特許文献１に示すピッチャー型浄水器にあっては、ケーシングの内部で浄水カートリッジが占有するスペースが大きく、ケーシングの大きさにくらべ、処理する水の量が少なくなるという問題があった。また、この浄水カートリッジのフィルタには、通常水道水に含まれる殺菌作用を持つ塩素やトリハロメタンなどの化学物質を除去する活性炭を使用しているため、浄化された水は殺菌作用がなくなり、この浄化水を長期間保存した場合には、細菌が繁殖し衛生上問題となる場合もあった。
【０００６】
本考案は前述した従来の問題点鑑みなされたものであり、処理する水の量を増やすことができ、この浄水器を使用する場合には常に新鮮な浄化水を使用できるピッチャー型浄水器を提供するものである。
【課題を解決するための手段】
【０００７】
上記課題を解決するため、請求項１の考案にあっては、本体ケースと、前記本体ケースの上部に着脱自在または開閉自在に取付けられた蓋体と、前記本体ケースに連通し本体ケースの側面より突出して形成された注出部と、が備えられ、前記注出部内に浄水カートリッジが装着されていることを特徴とするものである。
【０００８】
また、請求項２の考案にあっては、本体ケースと、前記本体ケースの上部に着脱自在または開閉自在に取付けられた蓋体と、前記本体ケースに連通し本体ケースの側面より突出して形成された注出部と、が備えられ、前記注出部は上方が広く下方が狭い略半円錐状に形成され、前記抽出部内に浄水カートリッジが装着されていることを特徴としている。
【０００９】
さらに、請求項３の考案にあっては、本体ケースと、前記本体ケースの上部に着脱自在または開閉自在に取付けられた蓋体と、前記本体ケースに連通し本体ケースの側面より突出して形成された注出部と、が備えられ、前記注出部は略直方体に形成され、前記抽出部内に浄水カートリッジが装着されていることを特徴とするものである。
【考案の効果】
【００１０】
本考案によれば、浄水カートリッジを本体ケース以外に設けた注出部に装着しているので、本体ケースには処理水を１００％入れることができ、処理する水の量を増やすことが可能となるものである。また、この浄水器を使用する場合は、本体ケースに貯溜される原水（水道水）には殺菌作用のある塩素などが含まれているので、細菌などが繁殖せず、しかも水を注出する直前に浄水カートリッジを通るので、常に新鮮な浄化水を使用することが可能となる。
【図面の簡単な説明】
【００１１】
【図１】本考案に係るピッチャー型浄水器を示す斜視図である。
【図２】前記ピッチャー型浄水器の構造を示す断面図である。
【図３】本考案のピッチャー型浄水器の実施例を示す斜視図である。
【考案を実施するための形態】
【００１２】
以下、本考案の実施形態を添付図面に基づいて説明する。本考案に係るピッチャー型浄水器は、図１または図２に示すように、本体ケース１と、前記本体ケース１の上部に着脱自在に取付けられた蓋体２と、前記本体ケース１に連通し本体ケース１の側面１ａより突出して形成された注出部３と、が備えられ、前記注出部３には浄水カートリッジ５が装着されている。
【００１３】
本体ケース１は、上面が開口された略直方体のケースであり、ＡＢＳ（アクリルニトリルブタジエンスチレン）樹脂などから形成された透明または半透明のケースである。この本体ケース１の一方の側面１ａには、この側面１ａより外側に突出した抽出部３が形成されており、反対側の側面１ｂには取っ手４が形成されている。尚、この本体ケース１は、抗菌性を持たせるため、銀成分などを練り込んである。
【００１４】
また、この本体ケース１の上面には、蓋体２が着脱自在に取付けられており、この蓋体２は、ＡＳ（アクリルニトリルスチレン）樹脂などから形成されたものである。この蓋体２の上部には、この蓋体２の着脱時に使用するツマミ２ａが形成されており、周縁には本体ケース１に係合させるために、本体ケース１の内径と同じか僅か小さい寸法の係合縁２ｂが下方に向けて形成されている
【００１５】
また、注出部３は、上方の、出口３ａが広く、入口３ｂが狭い、略円錐上に形成されており、内部には浄水カートリッジ５が装着されている。この浄水カートリッジ５も注出部３の形状に合わせて、上方が広く下方が狭い略円錐上に形成されている。この浄水カートリッジ５は公知の材料である活性炭から構成されており、原水（水道水）に含まれている、塩素やトリハロメタンなどの有害な化学物質を付着させて取り除くものである。
【００１６】
このように構成されたピッチャー型浄水器Ａを使用する場合は、先ず、本体ケース１の上の蓋体２を外して、原水を水道の蛇口などより本体ケース１内に入れる。この本体ケース１内には充填量の妨げとなるようなカートリッジがないため、この本体ケース１の容量に目一杯原水を充填することができ、効率的な使用が可能となる。
【００１７】
また、このピッチャー型浄水器Ａから浄水を使用する場合には、取っ手４を持ち、本体ケース１を斜めにすると、注水部３に装着された浄水カートリッジ５を通過することにより、塩素やトリハロメタンなどの有害な化学物質が除去された浄水が出口３ａより注がれるものである。
【００１８】
上述したように、ピッチャー型浄水器Ａは、水を貯溜する場合は、本体ケース１の容量を１００％使用することができるので、効率的な使用ができるものである。また、この貯溜状態の水は、塩素などの除菌作用のある物質が含まれた原水なので、保存しておいても細菌などが繁殖しないものである。そして、この原水が使用される場合に浄水カートリッジ５で浄水されるので、いつも新鮮で安全な浄水を飲むことができるものである。
【００１９】
また、図３に示すピッチャー型浄水器Ｂは、本体ケース１１と、この本体ケース１１の上部に開閉自在に取付けられた蓋体１２と、この本体ケース１１に連通し本体ケース１１の側面１１ａより突出して形成された注出部１３と、が備えられており、この注出部１３は略直方体に形成され、この抽出部１３内に浄水カートリッジ１５が装着されたものである。この浄水カートリッジ１５は、略直方体の注出部１３の形状に合わせて略直方体に形成され、前述の浄水カートリッジ５より容量が大きくなっている。
【００２０】
このように構成されたピッチャー型浄水器Ｂは、前述したピッチャー型浄水器Ａと同様に、水を貯溜する場合は、本体ケース１１の容量を１００％使用することができるので、効率的な使用ができるものである。また、この貯溜状態の水は、塩素などの除菌作用のある物質が含まれた原水なので、保存しておいても細菌などが繁殖しないものである。そして、この原水が使用される場合にカートリッジ１１で浄水されるので、いつも新鮮で安全な浄水を飲むことができるものである。さらに、カートリッジ１１は、容量が大きいので、長期間使用できるものである。
【００２１】
上述した実施態様は、本考案の一例を説明したにすぎず、その他の構成も本考案の請求の範囲内で任意に変更することができることは勿論である。例えば、本体ケースの形状は、直方体に限定されるものではなく、断面円形や楕円形でもよいのは勿論であり、注出部の形状も、三角錐やその他の形状でも可能なことは勿論である。
【符号の説明】
【００２２】
Ａはピッチャー型浄水器
Ｂはピッチャー型浄水器
１は本体ケース
２は蓋体
３は注出部
４は取っ手
５は浄水カートリッジ
１１は本体ケース
１２は蓋体
１３は注出部
１４は取っ手
１５は浄水カートリッジ
【図１】
0003153867.tif 000003
【図２】
0003153867.tif 000004
【図３】
0003153867.tif 000005
【手続補正書】
【提出日】平成21年7月17日(2009.7.17)
【手続補正１】
【補正対象書類名】明細書
【補正対象項目名】０００８
【補正方法】変更
【補正の内容】
【０００８】
また、請求項２の考案にあっては、本体ケースと、前記本体ケースの上部に着脱自在または開閉自在に取付けられた蓋体と、前記本体ケースに連通し本体ケースの側面より突出して形成された注出部と、が備えられ、前記注出部は上方が広く下方が狭い略半円錐状に形成され、前記注出部内に浄水カートリッジが装着されていることを特徴としている。
【手続補正２】
【補正対象書類名】明細書
【補正対象項目名】０００９
【補正方法】変更
【補正の内容】
【０００９】
さらに、請求項３の考案にあっては、本体ケースと、前記本体ケースの上部に着脱自在または開閉自在に取付けられた蓋体と、前記本体ケースに連通し本体ケースの側面より突出して形成された注出部と、が備えられ、前記注出部は略直方体に形成され、前記注出部内に浄水カートリッジが装着されていることを特徴とするものである。
【手続補正３】
【補正対象書類名】明細書
【補正対象項目名】００１３
【補正方法】変更
【補正の内容】
【００１３】
本体ケース１は、上面が開口された略直方体のケースであり、ＡＢＳ（アクリルニトリルブタジエンスチレン）樹脂などから形成された透明または半透明のケースである。この本体ケース１の一方の側面１ａには、この側面１ａより外側に突出した注出部３が形成されており、反対側の側面１ｂには取っ手４が形成されている。尚、この本体ケース１は、抗菌性を持たせるため、銀成分などを練り込んである。
【手続補正４】
【補正対象書類名】明細書
【補正対象項目名】００１９
【補正方法】変更
【補正の内容】
【００１９】
また、図３に示すピッチャー型浄水器Ｂは、本体ケース１１と、この本体ケース１１の上部に開閉自在に取付けられた蓋体１２と、この本体ケース１１に連通し本体ケース１１の側面１１ａより突出して形成された注出部１３と、が備えられており、この注出部１３は略直方体に形成され、この注出部１３内に浄水カートリッジ１５が装着されたものである。この浄水カートリッジ１５は、略直方体の注出部１３の形状に合わせて略直方体に形成され、前述の浄水カートリッジ５より容量が大きくなっている。
【手続補正５】
【補正対象書類名】実用新案登録請求の範囲
【補正対象項目名】全文
【補正方法】変更
【補正の内容】
【実用新案登録請求の範囲】
【請求項１】
本体ケースと、前記本体ケースの上部に着脱自在または開閉自在に取付けられた蓋体と、前記本体ケースに連通し本体ケースの側面より突出して形成された注出部と、が備えられ、
前記注出部内に浄水カートリッジが装着されていることを特徴とするピッチャー型浄水器。
【請求項２】
本体ケースと、前記本体ケースの上部に着脱自在または開閉自在に取付けられた蓋体と、前記本体ケースに連通し本体ケースの側面より突出して形成された注出部と、が備えられ、
前記注出部は上方が広く下方が狭い略円錐上に形成され、前記注出部内に浄水カートリッジが装着されていることを特徴とするピッチャー型浄水器。
【請求項３】
本体ケースと、前記本体ケースの上部に着脱自在または開閉自在に取付けられた蓋体と、前記本体ケースに連通し本体ケースの側面より突出して形成された注出部と、が備えられ、
前記注出部は略直方体に形成され、前記注出部内に浄水カートリッジが装着されていることを特徴とするピッチャー型浄水器。